(57)【要約】【課題】主に建築物内部において、玄関等に配置される吹抜け空間の上階床の縁部や、階段踊り場に採用され、強度が安定しているとともに構築の作業性に優れた手摺壁構造を提供する。【解決手段】床の縁部に手摺壁パネルを固定して構成する手摺壁構造において、間隔を隔てて固定した手摺壁パネル間の上位に支持杆を架設するとともに下位に土台を取付け、支持杆と土台の間に手摺化粧材を固定し、更に支持杆の上部には笠木を装着する。更には手摺壁パネルの上端部に具えた縦溝に、支持杆端部の垂直片を嵌合して、手摺壁パネル間に支持杆を架設する。【選択図】　図１
2004084330.tif 000002
【特許請求の範囲】
【請求項１】
床の縁部に手摺壁パネルを固定して構成する手摺壁構造において、間隔を隔てて固定した手摺壁パネル間の上位に支持杆を架設するとともに下位に土台を取付け、支持杆と土台の間に手摺化粧材を固定し、更に支持杆の上部には笠木を装着することを特徴とする手摺壁構造。
【請求項２】
手摺壁パネルの上端部に具えた縦溝に、支持杆端部の垂直片を嵌合して、手摺壁パネル間に支持杆を架設することを特徴とする請求項１記載の手摺壁構造。
【請求項３】
手摺壁パネルの一対の縦溝に、支持杆端部の一対の垂直片を嵌合することを特徴とする請求項２記載の手摺壁構造。
【発明の詳細な説明】
【０００１】
【発明の属する技術分野】
本発明は、主に建築物内部において、玄関等に配置される吹抜け空間の上階床の縁部や、階段踊り場に採用され、強度が安定しているとともに構築の作業性に優れた手摺壁構造に関する。
【０００２】
【従来の技術】
近年、建築物において、作業効率化と品質安定を目的とし、外壁、床、屋根などにパネルを用いるパネル工法が多用されている。
【０００３】
手摺壁の構築においても、同様にパネル工法が普及している。即ち図７に示すように、矩形状の手摺壁パネル５１を床面５２に釘打ち、ボルト止め、接着などにより固定し、更に該手摺壁パネル５１、５１の間に手摺化粧材５３を金物（図示せず）で固定することにより、手摺壁パネル５１と手摺化粧材５３を連続的に配置固定して、手摺壁を構築している。
【０００４】
【発明が解決しようとする課題】
しかし、この種パネル工法の手摺壁では、手摺化粧材５３を手摺壁パネル５１、５１間で金物により固定しているため、例えば手摺にもたれ掛かる人の体重等の負荷は直接手摺化粧材５３が負担することになり、必ずしも強度が充分でない手摺化粧材５３が変形することもあり、強度が不安定になるという問題がある。
【０００５】
このような問題を解決するために、手摺化粧材５３の外周に比較的大きな断面となる補強用フレームを設けることが行われいるが、意匠性が重要な手摺化粧材５３の外観を損ねる。また剛性の高い手摺化粧材５３の中から選択することも考えられるが、選択肢の限定により多用なニーズに対応できないという問題がある。
【０００６】
本発明は、以上のような問題点に鑑み案出なされたもので、強度が安定しているとともに構築の作業性に優れた手摺壁構造を提供することを目的としている。
【０００７】
【課題を解決するための手段】
本発明のうち請求項１記載の発明は、床の縁部に手摺壁パネルを固定して構成する手摺壁構造において、間隔を隔てて固定した手摺壁パネル間の上位に支持杆を架設するとともに下位に土台を取付け、支持杆と土台の間に手摺化粧材を固定し、更に支持杆の上部には笠木を装着することを特徴としている。
【０００８】
また請求項２記載の発明は、手摺壁パネルの上端部に具えた縦溝に、支持杆端部の垂直片を嵌合して、手摺壁パネル間に支持杆を架設することを特徴とする請求項１記載の手摺壁構造である。
【０００９】
また請求項３記載の発明は、手摺壁パネルの一対の縦溝に、支持杆端部の一対の垂直片を嵌合することを特徴とする請求項２記載の手摺壁構造である。
【００１０】
【発明の実施の形態】
以下本発明の実施の一形態を図面に基づき説明する。
本発明の手摺壁構造は、図１及び図２に示すように、床１の縁部に固定した手摺壁パネル２と手摺壁パネル２間に取付られる手摺化粧材５とから成る。
【００１１】
手摺壁パネル２は、高さ６０ｃｍ〜１００ｃｍ、幅９０ｃｍ〜１８０ｃｍの大きさに形成され、矩形矩形状の枠体の両面に表面板を具えた所謂フラッシュパネル構造を採る。枠体の材料としては、ラワン、杉、松、檜等の木材、押出し成形した人口木材、合成樹脂、セメント成形品、ロール加工で折り曲げ成形した薄鋼板等を使用できる。表面板は木材、合板、合成樹脂板、金属板等を採用し、或いは石膏ボード、ラワン合板等の下地に、塩化ビニルシート、紙、布等化粧層を接着した積層板も採用しうる。該表面板は接着、釘、ビス等の手段により枠体に固定される。
【００１２】
手摺壁を吹き抜け空間に設置する場合には、手摺壁パネル２は上階床から成る床１の縁部にボルト（図示せず）で固定される。又手摺壁を階段手摺として設置する場合には、手摺壁パネル２は、階段踊り場から成る床１の縁部に固定される。ボルト以外の固定手段、例えば釘止め、接着、金物による固定等も適宜使用しうる。
【００１３】
手摺壁パネル２は、図１及び図２に示すように、間隔を隔てて固定され、該手摺壁パネル２の間において、その上位には支持杆３を架設するとともに、その下位には土台４を取付ける。
【００１４】
支持杆３は、図５に示すように、軽量溝型鋼からなる杆本体２１と、その両端に溶接された取付片２２、２２から成る。杆本体２１には、そのウェブとフランジに取付孔２３を所定間隔で多数穿孔する。
【００１５】
取付片２２は、図４に示すように、矩形状の直立片２４の一側下縁から水平な下片２５を一体に延設し、他側方の上縁から下片２５と同じ側に水平に上片２６を一体に延設して形成される。尚、上片２６には一対の取付孔２７を穿孔する。そして該取付片２２の下片２５を杆本体２１のウェブ両端に溶接して、支持杆３を形成する。
【００１６】
手摺壁パネル２の側部上面には、図１及び図３に示すように、凹部２８が形成され、更に該凹部２８の一側には、垂直な縦溝７がこれに連続して形成される。そして、支持杆３の取付片２２の直立片２４の外方から成る垂直片８を、縦溝７に嵌合することにより、支持杆３は手摺壁パネル２間に架設される。このように支持杆３は、垂直な溝に対する嵌合により支持されるために、手摺壁の面方向に働く、例えば手摺壁にもたれる人の体重等による支持杆３に対する負荷は、手摺壁パネル２により確実に支持される。また支持杆３の取付は、垂直片８と縦溝７の嵌合により行うため作業性は良好となる。更に、例えば床１の不陸、手摺壁パネル２の寸法誤差や取付位置の誤差等により、手摺壁パネル２と支持杆３の相互位置に誤差が生じた場合であっても、嵌合位置の調整により容易にこれを吸収しうる。
【００１７】
前記手摺壁パネル２の凹部２８の深さは、支持杆３の取付片２２の上片２６の厚さと略同じ寸法に形成されており、上片２６に穿孔された取付孔２７に嵌合した釘により固定することにより、手摺壁パネル２と上片２６が面一になる。
【００１８】
土台４は、図１、２に示すように、手摺壁パネル２の間隔に等しい長さの断面矩形の長尺材からなり、その材料としてラワン、杉、松、檜等の木材、押出し成形した人口木材等を採用する。また土台４は手摺壁パネル２と同厚に形成され、手摺壁パネル２間で床１に釘止め、接着、金物等により固定される。
【００１９】
手摺化粧材５は、手摺壁の意匠性を高めたり、透明や半透明のガラス板、プラスチック板の採用により透光性を確保したり、或いは有孔板や格子の採用により通気性を確保する目的で配置する。本実施態様では、図１に示すように、白木のフレームを具えたスモークガラスから成る手摺化粧材５を採用している。該手摺化粧材５は、手摺壁パネル２、支持杆３及び土台４に対し釘止めすることにより固定される。又一対の手摺化粧材５相互も釘止めにより連結する。
【００２０】
図１に示すように、前記支持杆３の軽量溝型鋼からなる杆本体２１に、ラワン、杉、松、檜等の木材、押出し成形した人口木材等からなる支持杆３の内幅と略同幅の下地木２９を嵌合し、杆本体２１のフランジの取付孔２３に嵌挿した釘で固定する。
【００２１】
手摺壁パネル２及び支持杆３の上面に、笠木６を接着、両面テープ等により取付ける。該笠木６は上面が幅方向に湾曲した長尺材であり、その材料としては、ラワン、杉、松、檜等の木材、押出し成形した人口木材、合成樹脂、アルミニウム、ステンレス等が使用できる。手摺壁パネル２が直行して交差する隅部分には平面視略Ｌ字状の役物３０を使用する。支持杆３に対しては下地木２９を介して笠木６を取付ける。笠木６により手摺壁パネル２及び支持杆３は連結されて、手摺壁全体の強度が向上する。
【００２２】
図２に示すように、手摺化粧材５の周囲には、その両側から上枠３１ａ、下枠３１ｂ、縦枠３１ｃ及び中間枠３１ｄから成る化粧枠３１が装着される。化粧枠３１は、化粧シート貼り合板をＶカット工法で折り曲げ成形して製作されるが、この他アルミニウム、合成樹脂の押出し成形品、樹脂被覆鋼板、ステンレススチールの成形品等も採用しえる。化粧枠３１は、手摺化粧材５、手摺壁パネル２、支持杆３及び土台４の表面に酢酸ビニル系接着剤、両面テープ、化粧釘等による固定される。
【００２３】
縦枠３１ｃは手摺化粧材５と手摺壁パネル２の継目箇所を被覆し、他方中間枠３１ｄは手摺化粧材５同士の継目箇所を被覆している。そして各々のフランジ上端には、上枠３１ａとの干渉を回避するための切欠き３２が設けられる。上枠３１ａはＬ字状に形成され、縦枠３１ｃと中間枠３１ｄ間において、手摺化粧材５と支持杆３の継目箇所を被覆し、笠木６に連続する。下枠３１ｂは、上枠３１ａと同様、Ｌ字状に形成され、手摺化粧材５と土台４の継目箇所を被覆する。そして下枠３１ｂの端部と中間に、各々縦枠３１ｃ、中間枠３１ｄとの干渉を回避するための端切欠き３３、中切欠き３４が設けられる。
【００２４】
図６は、本発明の異なる実施態様を示しており、手摺壁パネル２の側部上面に形成した凹部２８の両側部に、一対の垂直な縦溝７を形成している。他方支持杆３の取付片２２は、上記一対の縦溝７の間隔と同幅に位置する一対の垂直片８が形成されている。そして、一対の垂直片８を、一対の縦溝７に嵌合することにより、支持杆３を手摺壁パネル２間に一層安定した強度で架設しうるものであり、従って手摺壁全体の強度も一層向上する。
【００２５】
【発明の効果】
以上説明したように、本発明では、上位の支持杆と下位の土台で手摺化粧材を支持するので手摺化粧材は安定して取付られるとともに、例えば手摺にもたれ掛かる人の体重等手摺に対する負荷は支持杆がこれを堅固に支持するので、手摺化粧材に対しては負担が無く、従って如何なる材質も採用しえる。又負荷がかからない為手摺化粧材が変形することも決してない。更には手摺壁パネル相互が支持杆で連結されるので、手摺壁全体として強度が安定する。
【００２６】
また請求項２記載の発明では、手摺壁パネルの上端部に具えた縦溝に、支持杆端部の垂直片を嵌合するので、手摺にもたれ掛かる人の体重等のような、支持杆に対し直行方向に負荷する外力は、嵌合部を介して手摺壁パネルにより確実に支持される。また支持杆の取付作業が簡単確実になしえ、更には、嵌合位置の調整により支持杆の取付け位置の設定及び調整が確実容易になしえる。
【００２７】
また請求項３記載の発明のように、手摺壁パネルの一対の縦溝に、支持杆端部の一対の垂直片を嵌合することにより、取付け強度が一層安定し、手摺壁全体の強度が一層向上する。
【図面の簡単な説明】
【図１】本発明の一実施形態を例示する分解斜視図である。
【図２】その異なる状態を示す分解斜視図である。
【図３】その要部を示す拡大図である。
【図４】取付片を示す斜視図である。
【図５】支持杆を示す説明図である。
【図６】本発明の異なる実施形態の要部を示す拡大図である。
【図７】従来技術を示す斜視図である。
【符号の説明】
１　　床
２　　手摺壁パネル
３　　支持杆
４　　土台
５　　手摺化粧材
６　　笠木
７　　縦溝
８　　垂直片
【図１】
2004084330.tif 000003
【図２】
2004084330.tif 000004
【図３】
2004084330.tif 000005
【図４】
2004084330.tif 000006
【図５】
2004084330.tif 000007
【図６】
2004084330.tif 000008
【図７】
2004084330.tif 000009